(57)【要約】【課題】レイアウトの自由度を損なうことなくコストアップを最小限に抑えてビートを低減することができるビデオ装置を提供する。【解決手段】ビデオヘッド１と、ビデオヘッド１によって再生された再生信号に基づく信号から低域変換色信号を抽出する低域変換色信号抽出回路３と、スイッチング電源回路４と、スイッチング電源回路４から発生するスイッチングノイズのうち３次高調波を抽出する３次高調波抽出回路５と、低域変換色信号抽出回路３の出力と３次高調波抽出回路５の出力とを比較する比較回路６とを備えるビデオ装置。【選択図】図１
2007235702.tif 000002
【特許請求の範囲】
【請求項１】
ビデオヘッドと、
前記ビデオヘッドによって再生された再生信号に基づく信号から低域変換色信号を抽出する低域変換色信号抽出回路と、
スイッチングトランスを有するスイッチング電源回路と、
前記スイッチング電源回路から発生するスイッチングノイズのうち３次高調波を抽出する３次高調波抽出回路と、
前記低域変換色信号抽出回路の出力と前記３次高調波抽出回路の出力とを比較する比較回路と、
ビデオカセット以外の記憶媒体に対して情報の読み込む及び／又は書き込みを行う情報処理装置とを備えることを特徴とするビデオ装置。
【請求項２】
ビデオヘッドと、
前記ビデオヘッドによって再生された再生信号に基づく信号から低域変換色信号を抽出する低域変換色信号抽出回路と、
スイッチング電源回路と、
前記スイッチング電源回路から発生するスイッチングノイズのうち３次高調波を抽出する３次高調波抽出回路と、
前記低域変換色信号抽出回路の出力と前記３次高調波抽出回路の出力とを比較する比較回路とを備えることを特徴とするビデオ装置。
【発明の詳細な説明】
【技術分野】
【０００１】
本発明は、ビデオヘッドを備えるビデオ装置（ビデオ装置とＤＶＤ装置、ＨＤＤ装置等とを組み合わせた複合機も含む）に関する。
【背景技術】
【０００２】
ビデオ装置は通常スイッチング電源回路を備えているので、スイッチング電源回路のスイッチングノイズに対して何も対策を講じない場合、スイッチング電源回路のスイッチングノイズがビデオヘッドに飛び込み、本来の信号に重畳されビデオ再生画面にビートとなって現れる。
【０００３】
スイッチング電源回路のスイッチングノイズに対する一般的な対策としては、（i）スイッチング電源回路とビデオヘッドとを離すことでスイッチング電源回路とビデオヘッドとの距離を確保してビデオヘッドに飛び込むノイズ量を低減する方法、（ii）スイッチング電源回路がスイッチングトランスを備える構成である場合は図４に示すようにスイッチングトランスのギャップ部ＧにショートリングＳＲを巻いてスイッチングトランスからの漏れ磁束を低減してビデオヘッドに飛び込むノイズ量を低減する方法、が挙げられる。
【特許文献１】特開昭６１−７９３９３号公報
【発明の開示】
【発明が解決しようとする課題】
【０００４】
しかしながら、上記（i）の方法では、スイッチング電源回路とビデオヘッドとの距離を確保することによってレイアウトの自由度が著しく損なわれてしまうという問題があり、上記（ii）の方法では、ショートリングを設けることによるコストアップが大きく、ビート低減効果は小さいという問題がある。
【０００５】
また、特許文献１ではヘッドアンプの次段に設けたバンドパスフィルタによりスイッチング電源回路のスイッチングノイズを除去しているが、このような構成では当該バンドパスフィルタにより低域変換色信号（本来の信号）の帯域そのものを削るおそれがあるため、当該バンドパスフィルタの設置による弊害が大きい。
【０００６】
本発明は、上記の問題点に鑑み、レイアウトの自由度を損なうことなくコストアップを最小限に抑えてビートを低減することができるビデオ装置を提供することを目的とする。
【課題を解決するための手段】
【０００７】
上記目的を達成するために本発明に係るビデオ装置は、ビデオヘッドと、前記ビデオヘッドによって再生された再生信号に基づく信号から低域変換色信号を抽出する低域変換色信号抽出回路と、スイッチング電源回路と、前記スイッチング電源回路から発生するスイッチングノイズのうち３次高調波を抽出する３次高調波抽出回路と、前記低域変換色信号抽出回路の出力と前記３次高調波抽出回路の出力とを比較する比較回路とを備える構成とする。
【０００８】
このような構成によると、前記低域変換色信号抽出回路の出力と前記３次高調波抽出回路の出力とを比較することによって、前記低域変換色信号抽出回路から出力される低域変換色信号に含まれるビート成分を低減することができる。本構成では、スイッチング電源回路とビデオヘッドとの距離を確保する必要やスイッチングトランスにショートリングを設ける必要がない。また、前記３次高調波抽出回路や前記比較回路はＩＣ内部に搭載することが可能である。したがって、レイアウトの自由度を損なうことなくコストアップを最小限に抑えてビートを低減することができる。また、本発明に係るビデオ装置は、レイアウトの自由度が高いため、組み立て作業性の向上、サービス性の向上、及び小型化を図ることができる。
【０００９】
また、上記構成のビデオ装置において、前記スイッチング電源回路がスイッチングトランスを有するようにし、さらに、ビデオカセット以外の記憶媒体に対して情報の読み込む及び／又は書き込みを行う情報処理装置（例えば、ＤＶＤ装置、ＨＤＤ装置等）を備える構成としてもよい。
【００１０】
このような構成によると、スイッチングトランスを有しているため、スイッチングノイズが大きく、いわゆる複合機であるためスイッチング電源回路とビデオヘッドとの距離を確保することが困難である可能性が高いので、本発明が奏する効果が特に有用となる。
【発明の効果】
【００１１】
本発明に係るビデオ装置によると、レイアウトの自由度を損なうことなくコストアップを最小限に抑えてビートを低減することができる。
【発明を実施するための最良の形態】
【００１２】
本発明の実施形態について図面を参照して以下に説明する。本発明に係るビデオ装置の色信号再生系の概略構成を図１に示す。
【００１３】
本発明に係るビデオ装置の色信号再生系には、ビデオヘッド１と、ヘッドアンプ２と、低域変換色信号抽出回路３と、スイッチング電源回路４と、３次高調波抽出回路５と、比較回路６と、高域変換回路７とが設けられている。
【００１４】
ビデオヘッド１によって再生された再生信号は、ヘッドアンプ２によって増幅される。低域変換色信号抽出回路３は、ヘッドアンプ２で増幅された再生信号から輝度信号成分を除去し、低域変換色信号（約６００ｋＨｚ±４００ｋＨｚ）を抽出する。ここで、低域変換色信号抽出回路３の具体例としては、ローパスフィルタが挙げられる。
【００１５】
スイッチング電源回路４のスイッチングノイズがビデオヘッド１に飛び込んでいるため、低域変換色信号抽出回路３によって抽出される低域変換色信号にはビート成分が含まれる。なお、ビデオヘッド１に飛び込むスイッチングノイズのうち、スイッチング電源回路４のスイッチング周波数の３倍（概略３５０ｋＨｚ〜４００ｋＨｚ）のノイズ成分が低域変換色信号に含まれるビート成分となる。
【００１６】
スイッチング電源回路４は、商用交流電源からの商用交流電圧を所定値の直流電圧に変換してビデオ装置の各部に供給する電源回路であり、通常スイッチング周波数は可聴帯域の２０ｋＨｚ以下を避けて概略１２０ｋＨｚ〜１３０ｋＨｚあたりに設定される。ここで、スイッチング電源回路４の一構成例を図２に示す。図２に示すスイッチング電源回路は、商用交流電源１１からの商用交流電圧を全波整流するダイオードブリッジ回路１２と、ダイオードブリッジ回路１２からの出力電圧を平滑化するコンデンサ１３と、コンデンサ１３とスイッチングトランスＴ１の１次巻線との電気的接続をオン／オフするＭＯＳＦＥＴ１４と、ＭＯＳＦＥＴ１４を所定のスイッチング周波数でオン／オフ制御する制御回路１５と、スイッチングトランスＴ１と、スイッチングトランスＴ１の各２次巻線の出力電圧を整流・平滑するダイオードＤ１〜Ｄ３及びコンデンサＣ１〜Ｃ３とを備えており、それぞれ値の異なる直流電圧Ｖ１〜Ｖ３を出力する。
【００１７】
３次高調波抽出回路５は、スイッチング電源回路４に接続されており、スイッチング電源回路４から発生するスイッチングノイズのうち３次高調波（スイッチング周波数の３倍である概略３５０ｋＨｚ〜４００ｋＨｚのノイズ成分）を抽出する。
【００１８】
ここで、３次高調波抽出回路５の一構成例を図３に示す。図３に示す３次高調波抽出回路は、アクティブフィルタのバンドパスフィルタであって、オペアンプＯＰ１と、抵抗Ｒ１〜Ｒ３と、コンデンサＣ４〜Ｃ５とを備えている。例えばコンデンサＣ５を可変容量コンデンサにし、コンデンサＣ５の容量を上記３次高調波の周波数（概略３５０ｋＨｚ〜４００ｋＨｚ）に応じて変化させることで、バンドパスフィルタの通過帯域の中心周波数を上記３次高調波の周波数（概略３５０ｋＨｚ〜４００ｋＨｚ）に合わすことが可能となる。小型化や低コスト化の観点から、３次高調波抽出回路５は、低域変換色信号抽出回路３と、比較回路６と、高域変換回路７の一部とともにＩＣ内部に搭載されることが望ましい。したがって、３次高調波抽出回路５をアクティブフィルタとし、３次高調波抽出回路５のＩＣ内部への搭載を容易とする図３に示す構成例は好適である。
【００１９】
スイッチング電源回路４が図２に示す構成であって３次高調波抽出回路５が図３に示す構成である場合、スイッチング電源回路４と３次高調波抽出回路５との接続例としては、例えば図３に示すアクティブフィルタの入力側を図２に示すスイッチング電源回路のＭＯＳＦＥＴ１４とスイッチングトランスＴ１の１次巻線との接続点に接続する構成が挙げられる。
【００２０】
比較回路６は、低域変換色信号抽出回路３の出力と３次高調波抽出回路５の出力とを比較して、より具体的には低域変換色信号抽出回路３の出力から３次高調波抽出回路５の出力を差し引いて、低域変換色信号抽出回路３から出力される低域変換色信号に含まれるビート成分を低減し、ビート成分が低減された低域変換色信号を後段の高域変換回路７に供給する。高域変換回路７は、比較回路６から出力される低域変換色信号を色信号（例えばＮＴＳＣ方式の場合、中心周波数は略３．５８ＭＨｚ）に変換する。そして、高域変換回路７の出力信号が輝度信号再生系（不図示）の出力信号と混合され、その混合信号に基づいて再生が行われる。
【００２１】
なお、上述した実施形態では、ビデオ装置内のスイッチング電源回路がスイッチングトランスを備える構成であったが、ビデオ装置がトランスレスのスイッチング電源回路を搭載した場合でもスイッチングトランスを備えるスイッチング電源回路の場合ほどではないが、スイッチングノイズがビデオヘッドに影響を与えるので、トランスレスのスイッチング電源回路を搭載したビデオ装置についても本発明を適用することができる。
【００２２】
また、本発明に係るビデオ装置は、ビデオ装置単体であっても、ビデオ装置とＤＶＤ装置、ＨＤＤ装置等とを組み合わせた複合機であってもよい。上記複合機の方がビデオ装置単体の場合よりも、スイッチング電源回路とビデオヘッドとの距離を確保することが困難である可能性が高いので、本発明は特に上記複合機にとって有用である。
【図面の簡単な説明】
【００２３】
【図１】は、本発明に係るビデオ装置の色信号再生系の概略構成を示すブロック図である。
【図２】は、スイッチング電源回路の一構成例を示す図である。
【図３】は、３次高調波抽出回路の一構成例を示す図である。
【図４】は、ショートリングが巻きつけられているスイッチングトランスの外観斜視図である。
【符号の説明】
【００２４】
１  ビデオヘッド
２  ヘッドアンプ
３  低域変換色信号抽出回路
４  スイッチング電源回路
５  ３次高調波抽出回路
６  比較回路
７  高域変換回路
１１  商用交流電源
１２  ダイオードブリッジ回路
１３  コンデンサ
１４  ＭＯＳＦＥＴ
１５  制御回路
Ｃ１〜Ｃ５  コンデンサ
Ｄ１〜Ｄ３  ダイオード
ＯＰ１  オペアンプ
Ｒ１    抵抗
Ｔ１  スイッチングトランス
【図１】
2007235702.tif 000003
【図２】
2007235702.tif 000004
【図３】
2007235702.tif 000005
【図４】
2007235702.tif 000006